(57)【要約】【課題】極めて簡素な方法で作製することができ、しかも、高い利得を達成し得るパッチアンテナを提供する。【解決手段】本発明のパッチアンテナは、外形形状が直径ｒ1の円形の放射素子１３、放射素子１３の射影像がその射影像に含まれる接地導体１１、空気層を介して対面して配置された接地導体１１と放射素子１３との間に配され、接地導体１１及び放射素子１３と接する、導電材料から成る複数の支柱２２、並びに、放射素子１３に設けられた給電部１４から成り、複数の支柱２２は、放射素子１３と同心であって直径ｒ2（但し、ｒ2＜ｒ1）の円上に配置され、複数の支柱２２が配置された円の内部に位置する放射素子１３の部分１３Ａは略等電位となっている。【選択図】  図１
2005223597.tif 000002
【特許請求の範囲】
【請求項１】
（Ａ）外形形状が直径ｒ1の円形の放射素子、
（Ｂ）放射素子の射影像がその射影像に含まれる接地導体、
（Ｃ）空気層を介して対面して配置された接地導体と放射素子との間に配され、接地導体及び放射素子と接する、導電材料から成る複数の支柱、並びに、
（Ｄ）放射素子に設けられた給電部、
から成り、
複数の支柱は、放射素子と同心であって直径ｒ2（但し、ｒ2＜ｒ1）の円上に配置され、
複数の支柱が配置された円の内部に位置する放射素子の部分は略等電位となっていることを特徴とするパッチアンテナ。
【請求項２】
支柱の数は８本以上、１６本以下であることを特徴とする請求項１に記載のパッチアンテナ。
【請求項３】
パッチアンテナが主に放射あるいは吸収する電磁波の波長をλとしたとき、隣接する支柱の間の距離Ｄは、０．０４≦Ｄ／λ≦０．１１を満足することを特徴とする請求項１に記載のパッチアンテナ。
【請求項４】
０．６０≦ｒ2／ｒ1≦０．７５を満足することを特徴とする請求項１に記載のパッチアンテナ。
【請求項５】
（Ａ）外形形状が縦ＬＬ1、横ＬＴ1の矩形の放射素子、
（Ｂ）放射素子の射影像がその射影像に含まれる接地導体、
（Ｃ）空気層を介して対面して配置された接地導体と放射素子との間に配され、接地導体及び放射素子と接する、導電材料から成る複数の支柱、並びに、
（Ｄ）放射素子に設けられた給電部、
から成り、
複数の支柱は、放射素子と同心であって、外形形状が縦ＬＬ2、横ＬＴ2（但し、ＬＬ2＜ＬＬ1、ＬＴ2＜ＬＴ1）の矩形上に配置され、
複数の支柱が配置された矩形の内部に位置する放射素子の部分は略等電位となっていることを特徴とするパッチアンテナ。
【請求項６】
支柱の数は８本以上、１６本以下であることを特徴とする請求項５に記載のパッチアンテナ。
【請求項７】
パッチアンテナが主に放射あるいは吸収する電磁波の波長をλとしたとき、隣接する支柱の間の距離ｄは、０．０４≦ｄ／λ≦０．１１を満足することを特徴とする請求項５に記載のパッチアンテナ。
【請求項８】
０．６０≦ＬＬ2／ＬＬ1≦０．７５、及び、０．６０≦ＬＴ2／ＬＴ1≦０．７５を満足することを特徴とする請求項５に記載のパッチアンテナ。
【請求項９】
（Ａ）外形形状が直径ｒ4の円形の放射素子、
（Ｂ）放射素子の射影像がその射影像に含まれる接地導体、
（Ｃ）空気層を介して対面して配置された接地導体と放射素子との間に配され、且つ、放射素子と同心に配され、接地導体及び放射素子と接し、導電材料から成り、外径ｒ5（但し、ｒ5＜ｒ4）の円形部材、並びに、
（Ｄ）放射素子に設けられた給電部、
から成ることを特徴とするパッチアンテナ。
【請求項１０】
円形部材には、内径ｒ6の円形の刳り抜き部が設けられていることを特徴とする請求項９に記載のパッチアンテナ。
【請求項１１】
０．６０≦ｒ5／ｒ4≦０．７５を満足することを特徴とする請求項９又は請求項１０に記載のパッチアンテナ。
【請求項１２】
（Ａ）外形形状が縦ＬＬ4、横ＬＴ4の矩形の放射素子、
（Ｂ）放射素子の射影像がその射影像に含まれる接地導体、
（Ｃ）空気層を介して対面して配置された接地導体と放射素子との間に配され、且つ、放射素子と同心に配され、接地導体及び放射素子と接し、導電材料から成り、外形形状が縦ＬＬ5、横ＬＴ5（但し、ＬＬ5＜ＬＬ4，ＬＴ5＜ＬＴ4）の矩形部材、並びに、
（Ｄ）放射素子に設けられた給電部、
から成ることを特徴とするパッチアンテナ。
【請求項１３】
矩形部材には、縦ＬＬ6、横ＬＴ6の矩形形状の刳り抜き部が設けられていることを特徴とする請求項１２に記載のパッチアンテナ。
【請求項１４】
０．６０≦ＬＬ5／ＬＬ4≦０．７５、及び、０．６０≦ＬＴ5／ＬＴ4≦０．７５を満足することを特徴とする請求項１２又は請求項１３に記載のパッチアンテナ。
【発明の詳細な説明】
【技術分野】
【０００１】
本発明は、円形あるいは矩形のパッチアンテナに関する。
【背景技術】
【０００２】
無線通信機器に使用されるアンテナ、特に、例えば無線ＬＡＮ等において高利得、且つ、高指向性が要求されるアンテナとして、マイクロストリップアンテナの一種である、円形あるいは矩形のパッチアンテナが使用されている。
【０００３】
図１１の（Ａ）及び（Ｂ）のそれぞれに、従来の矩形のパッチアンテナの模式的な平面図、及び、一部を断面で示す模式図を示す。このパッチアンテナは、誘電体部１０２、誘電体部１０２の一方の面上に形成された放射素子１０３、及び、誘電体部１０２の他方の面上に形成された接地導体１０１から構成されている。放射素子１０３及び接地導体１０１は銅箔から成り、これらの外形形状は矩形である。誘電体部１０２は、低誘電率、低誘電損失材料（例えば、比誘電率ε２．２のフッ素樹脂等をガラス布基材等に含浸させた材料）から成る。より具体的には、このパッチアンテナを構成する接地導体１０１及び放射素子１０３は、フッ素樹脂等をガラス布基材等に含浸させた両面銅張り積層板の銅箔（厚さ：数μｍ〜数十μｍ程度）をエッチング加工することで、作製することができる。
【０００４】
そして、放射素子１０３、誘電体部１０２及び接地導体１０１に設けられた貫通孔（図示せず）を介して、放射素子１０３の所定の位置に給電ピン１０４（例えば、高周波コネクタ１０６の中心導体）が半田付け等によって電気的に接続されている。また、給電ピン１０４を囲むシェル１０５（例えば、高周波コネクタ１０６の外部導体）は、接地導体１０１に半田付け等で固定されている。尚、接地導体１０１と給電ピン１０４とは接していない。高周波コネクタ１０６は、通信機器に電気的に接続され、高周波信号が給電される。
【０００５】
接地導体１０１は、放射素子１０３よりも大きい。接地導体１０１及び放射素子１０３の一辺の長さを、それぞれ、ＬA，ＬBとし、誘電体部１０２の厚さをＴとしたとき、通常、
ＬA≧ＬB＋２×３×Ｔ
の関係を満足するように、ＬA，ＬB，Ｔの値を決定するが、接地導体１０１の一辺の長さＬAは可能な限り大きくする。
【０００６】
また、図１１の（Ｃ）に一部を断面で示す模式図を示すパッチアンテナも周知である。このパッチアンテナにあっては、誘電体部は存在しない。板金加工等で製作された板厚０．５〜１ｍｍ程度の金属板から成る放射素子１１３及び接地導体１１１の中心部に、支柱１１７（導電体から作製されていてもよいし、絶縁材料から作製されていてもよい）がビス１１８及びナット１１９によって固定されている。ここで、参照番号１１４，１１５，１１６は、それぞれ、給電ピン、シェル、高周波コネクタである。このような構造のパッチアンテナにあっては、空気層が誘電体部となるために比誘電率εは、１となる。その結果、このような構造のパッチアンテナにおいては、高い利得（例えば、実用的範囲において８ｄＢｉ）を得ることができる。
【０００７】
しかしながら、更に一層高い利得がパッチアンテナに要求される場合もある。そのような場合には、例えば、２０００年電子情報通信学会総合大会で発表された「穴付き方形パッチアンテナの最大利得」（Ｂ−１−１５１  ロスファリザ  ラザリ  他２名）（以下、論文と呼ぶ）における穴付き方形パッチアンテナを用いればよい。この穴付き方形パッチアンテナの模式的な斜視図及び一部を断面で示す模式図を図１２の（Ａ）及び（Ｂ）に示す。この穴付き方形パッチアンテナは、板金加工等で製作された板厚０．５〜１ｍｍ程度の金属板から成る放射素子１２３の中心部に方形の穴１２７が設けられている。そして、板金加工等で製作された板厚０．５〜１ｍｍ程度の金属板から成る接地導体１２１と、放射素子１２３とは、穴１２７の周縁部に取り付けられた金属板から成る垂直壁１２２によって、対面して配置されている。ここで、参照番号１２４，１２５，１２６は、それぞれ、給電ピン、シェル、高周波コネクタである。
【０００８】
更に、無限接地導体の場合の等価的な誘電率εrと利得との関係が、この論文の図１に示されており、ここで、等価的な誘電率εrが０．６７の場合、最大利得（１０．６ｄＢ）が得られるとされている。そして、等価的な誘電率εr０．６７を達成するためには、方形の穴１２７の一辺の長さを、放射素子１２３の一辺の長さの３３．７％とすればよいと記載されている。
【０００９】
【非特許文献１】ロスファリザ  ラザリ  他２名、Ｂ−１−１５１、「穴付き方形パッチアンテナの最大利得」、２０００年電子情報通信学会総合大会
【発明の開示】
【発明が解決しようとする課題】
【００１０】
このように、上記論文で発表されたパッチアンテナは高い利得を達成できるが、接地導体１２１と放射素子１２３とを、穴１２７の周縁部に取り付けられた金属板から成る垂直壁１２２によって対面して配置する必要がある。具体的には、放射素子１２３の穴１２７の周縁部に垂直壁１２２の上端を溶接し、垂直壁１２２の下端を接地導体１２１に溶接する必要がある。然るに、このような、パッチアンテナの作製方法は煩雑な作業である。
【００１１】
従って、本発明の目的は、極めて簡素な方法で作製することができ、しかも、高い利得を達成し得るパッチアンテナを提供することにある。
【課題を解決するための手段】
【００１２】
上記の目的を達成するための本発明の第１の態様に係るパッチアンテナは、円形のパッチアンテナであり、
（Ａ）外形形状が直径ｒ1の円形の放射素子、
（Ｂ）放射素子の射影像がその射影像に含まれる接地導体、
（Ｃ）空気層を介して対面して配置された接地導体と放射素子との間に配され、接地導体及び放射素子と接する、導電材料から成る複数の支柱、並びに、
（Ｄ）放射素子に設けられた給電部、
から成り、
複数の支柱は、放射素子と同心であって直径ｒ2（但し、ｒ2＜ｒ1）の円上に配置され、
複数の支柱が配置された円の内部に位置する放射素子の部分は略等電位となっていることを特徴とする。
【００１３】
本発明の第１の態様に係るパッチアンテナにあっては、支柱の数（Ｎ）を、限定するものではないが、８本以上、１６本以下、好ましくは１２本以上、１６本以下とすることが望ましい。あるいは又、パッチアンテナが主に放射あるいは吸収する電磁波の波長をλとしたとき、隣接する支柱の間の距離Ｄは、０．０４≦Ｄ／λ≦０．１１、好ましくは０．０４≦Ｄ／λ≦０．０８を満足することが望ましい。また、本発明の第１の態様に係るパッチアンテナにあっては、０．６０≦ｒ2／ｒ1≦０．７５、好ましくは０．６５≦ｒ2／ｒ1≦０．７０を満足することが望ましい。
【００１４】
本発明の第１の態様に係るパッチアンテナにおいて、あるいは又、後述する本発明の第２の態様〜第４の態様に係るパッチアンテナにおいて、接地導体の外形形状は、円形、楕円形、三角形、矩形（四角形）、多角形等、任意の形状とすることができる。
【００１５】
本発明の第１の態様に係るパッチアンテナにおいて、接地導体と放射素子とは空気層を介して対面して配置されているが、具体的には、例えば外形形状が円形若しくは矩形の接地導体の中心を通る法線が、外形形状が円形の放射素子の中心を通ることが好ましい。また、複数の支柱は放射素子と同心である円上に配置されているが、具体的には、外形形状が円形の放射素子の中心を通る法線が、複数の支柱が配置された円（仮想の円）の中心を通ることを意味する。
【００１６】
本発明の第１の態様に係るパッチアンテナにおいて、接地導体の外形形状を直径ｒ3の円形、又は、縦ＬＬ3、横ＬＴ3の矩形とした場合、ｒ1＜ｒ3、又は、ｒ1＜ＬＬ3且つｒ1＜ＬＴ3を満足する必要がある。
【００１７】
上記の目的を達成するための本発明の第２の態様に係るパッチアンテナは、矩形のパッチアンテナであり、
（Ａ）外形形状が縦ＬＬ1、横ＬＴ1の矩形の放射素子、
（Ｂ）放射素子の射影像がその射影像に含まれる接地導体、
（Ｃ）空気層を介して対面して配置された接地導体と放射素子との間に配され、接地導体及び放射素子と接する、導電材料から成る複数の支柱、並びに、
（Ｄ）放射素子に設けられた給電部、
から成り、
複数の支柱は、放射素子と同心であって、外形形状が縦ＬＬ2、横ＬＴ2（但し、ＬＬ2＜ＬＬ1、ＬＴ2＜ＬＴ1）の矩形上に配置され、
複数の支柱が配置された矩形の内部に位置する放射素子の部分は略等電位となっていることを特徴とする。
【００１８】
本発明の第２の態様に係るパッチアンテナにあっては、支柱の数（Ｎ）を、限定するものではないが、８本以上、１６本以下、好ましくは１２本以上、１６本以下とすることが望ましい。あるいは又、パッチアンテナが主に放射あるいは吸収する電磁波の波長をλとしたとき、隣接する支柱の間の距離ｄは、０．０４≦ｄ／λ≦０．１１、好ましくは０．０４≦ｄ／λ≦０．０８を満足することが望ましい。また、本発明の第２の態様に係るパッチアンテナにあっては、０．６０≦ＬＬ2／ＬＬ1≦０．７５、及び、０．６０≦ＬＴ2／ＬＴ1≦０．７５、好ましくは、０．６５≦ＬＬ2／ＬＬ1≦０．７０、及び、０．６５≦ＬＴ2／ＬＴ1≦０．７０を満足することが望ましい。尚、ＬＬ2／ＬＬ1の値とＬＴ2／ＬＴ1の値とは、同じ値であってもよいし、異なる値であってもよい。
【００１９】
本発明の第２の態様に係るパッチアンテナにおいて、接地導体と放射素子とは空気層を介して対面して配置されているが、具体的には、例えば外形形状が矩形若しくは円形の接地導体の中心を通る法線が、外形形状が矩形の放射素子の中心を通ることが好ましい。また、複数の支柱は、放射素子と同心である矩形上に配置されているが、具体的には、外形形状が矩形の放射素子の中心を通る法線が、複数の支柱が配置された矩形（仮想の矩形）の中心を通ることを意味する。
【００２０】
本発明の第２の態様に係るパッチアンテナにおいて、接地導体の外形形状を直径ｒ3の円形、又は、縦ＬＬ3、横ＬＴ3の矩形とした場合、ＬＬ1＜ＬＬ3且つＬＴ1＜ＬＴ3、又は、ＬＬ1＜ｒ3且つＬＴ1＜ｒ3を満足する必要がある。
【００２１】
本発明の第１の態様若しくは第２の態様に係るパッチアンテナにあっては、複数の支柱が配置された円あるいは矩形の内部に位置する放射素子の部分は略等電位となっている。ここで、「略等電位」であるとは、円あるいは矩形の内部に位置する放射素子の部分の少なくとも９０％の部分が等電位であることを意味する。
【００２２】
上記の目的を達成するための本発明の第３の態様に係るパッチアンテナは、円形のパッチアンテナであり、
（Ａ）外形形状が直径ｒ4の円形の放射素子、
（Ｂ）放射素子の射影像がその射影像に含まれる接地導体、
（Ｃ）空気層を介して対面して配置された接地導体と放射素子との間に配され、且つ、放射素子と同心に配され、接地導体及び放射素子と接し、導電材料から成り、外径ｒ5（但し、ｒ5＜ｒ4）の円形部材、並びに、
（Ｄ）放射素子に設けられた給電部、
から成ることを特徴とする。
【００２３】
本発明の第３の態様に係るパッチアンテナにおいては、外径ｒ5の円形部材に、内径ｒ6の円形の刳り抜き部が設けられている構成とすることができる。即ち、この場合、円形部材は、より具体的には、リング状である。
【００２４】
以上の好ましい形態を含む本発明の第３の態様に係るパッチアンテナにあっては、０．６０≦ｒ5／ｒ4≦０．７５、好ましくは０．６５≦ｒ5／ｒ4≦０．７０を満足することが望ましい。
【００２５】
本発明の第３の態様に係るパッチアンテナにおいて、接地導体の外形形状を直径ｒ3の円形、又は、縦ＬＬ3、横ＬＴ3の矩形とした場合、ｒ4＜ｒ3、又は、ｒ4＜ＬＬ3且つｒ4＜ＬＴ3を満足する必要がある。
【００２６】
上記の目的を達成するための本発明の第４の態様に係るパッチアンテナは、矩形のパッチアンテナであり、
（Ａ）外形形状が縦ＬＬ4、横ＬＴ4の矩形の放射素子、
（Ｂ）放射素子の射影像がその射影像に含まれる接地導体、
（Ｃ）空気層を介して対面して配置された接地導体と放射素子との間に配され、且つ、放射素子と同心に配され、接地導体及び放射素子と接し、導電材料から成り、外形形状が縦ＬＬ5、横ＬＴ5（但し、ＬＬ5＜ＬＬ4，ＬＴ5＜ＬＴ4）の矩形部材、並びに、
（Ｄ）放射素子に設けられた給電部、
から成ることを特徴とする。
【００２７】
本発明の第４の態様に係るパッチアンテナにおいては、外形形状が縦ＬＬ5、横ＬＴ5の矩形部材には、縦ＬＬ6、横ＬＴ6の矩形形状の刳り抜き部が設けられている構成とすることができる。即ち、この場合、矩形部材は、より具体的には、一種の環状である。
【００２８】
本発明の第４の態様に係るパッチアンテナにあっては、０．６０≦ＬＬ5／ＬＬ4≦０．７５、及び、０．６０≦ＬＴ5／ＬＴ4≦０．７５、好ましくは、０．６５≦ＬＬ5／ＬＬ4≦０．７０、及び、０．６５≦ＬＴ5／ＬＴ4≦０．７０を満足することが望ましい。尚、ＬＬ5／ＬＬ4の値とＬＴ5／ＬＴ4の値とは、同じ値であってもよいし、異なる値であってもよい。
【００２９】
本発明の第４の態様に係るパッチアンテナにおいて、接地導体の外形形状を直径ｒ3の円形、又は、縦ＬＬ3、横ＬＴ3の矩形とした場合、ＬＬ4＜ＬＬ3且つＬＴ4＜ＬＴ3、又は、ＬＬ4＜ｒ3且つＬＴ4＜ｒ3を満足する必要がある。
【００３０】
本発明の第１の態様〜第４の態様に係るパッチアンテナ（以下、これらを総称して、本発明のパッチアンテナと呼ぶ場合がある）において、接地導体や放射素子、円形部材、矩形部材を構成する材料として、導電性を有する金属や合金（例えば、銅、黄銅、アルミニウム、鉄、ステンレス鋼といった金属や合金）を挙げることができる。
【００３１】
本発明の第１の態様若しくは第２の態様に係るパッチアンテナにあっては、導電材料から成る支柱（スペーサ）として、金属あるいは合金から成るパイプ状材料あるいは棒状材料を例示することができるし、ビス（ボルト）とナットの組合せやリベット、それ自体を支柱（スペーサ）とすることもできる。パイプ状材料あるいは棒状材料から成る支柱（スペーサ）の接地導体及び放射素子への取り付けは、例えば、ビス（ボルト）とナットを用いてもよいし、リベットやタッピングネジ等を用いてもよい。尚、露出した支柱の部分を、例えば、セラミックス等の絶縁材料から成るパイプで被覆してもよい。但し、放射素子と接地導体とは、これらの支柱によって電気的に接続されていなければならない。
【００３２】
本発明の第３の態様若しくは第４の態様に係るパッチアンテナにあっては、円形部材や矩形部材は、接地導体及び放射素子と接しているが、より具体的には、円形部材や矩形部材に貫通孔を設けて、ビス（ボルト）とナットの組合せやリベット、タッピングネジ等を用いて、円形部材や矩形部材を接地導体及び放射素子に取り付けることができるし、溶接や半田付け、ロウ付け等によって円形部材や矩形部材を接地導体及び放射素子に取り付けることもできるし、ビス（ボルト）とナットの組合せやリベット、タッピングネジ等を用い、且つ、溶接や半田付け、ロウ付け等を併用することで円形部材や矩形部材を接地導体及び放射素子に取り付けることもできる。
【００３３】
更には、本発明におけるパッチアンテナにあっては、放射素子に設けられた給電部として、高周波コネクタの中心導体を挙げることができる。また、放射素子に給電部を設けるとは、例えば、高周波コネクタの中心導体が放射素子に半田付け等で電気的に接続されている状態を意味する。高周波コネクタの中心導体を囲むシェル（例えば、高周波コネクタの外部導体）は、接地導体に半田付け等で固定することができる。この場合、給電部を構成する高周波コネクタの中心導体と接地導体とは接していない。給電部とシェルとによって構成される高周波コネクタは、通信機器に電気的に接続され、例えば、高周波信号が給電されるようになっている。放射素子に設けられた給電部の数は１に限定されず、２以上の複数とすることもできる。
【００３４】
ここで、パッチアンテナが主に放射あるいは吸収する電磁波の波長λとは、パッチアンテナが放射あるいは吸収する電磁波の設計波長を意味し、例えば、λ＝１２２ｍｍ（周波数：２．４５ＧＨｚ）、λ＝６０ｍｍ（周波数：５ＧＨｚ）を例示することができる。
【００３５】
尚、放射素子の射影像が接地導体の射影像に含まれない場合（例えば、放射素子よりも接地導体の方が小さい場合）、電波が放射されない。また、接地導体の直径ｒ3の値（あるいは長さＬＬ3，ＬＴ3の値）は、直径ｒ1，ｒ4の値よりも出来る限り大きいことが望ましく、長さＬＬ3，ＬＴ3の値（あるいは直径ｒ3の値）は、長さＬＬ1，ＬＴ1，ＬＬ4，ＬＴ4の値よりも出来る限り大きいことが望ましい。
【００３６】
本発明の第１の態様若しくは第２の態様に係るパッチアンテナにあっては、場合によっては、複数の支柱が配置された円あるいは矩形の内部に位置する放射素子及び／又は接地導体の部分を除去してもよい。また、本発明の第３の態様若しくは第４の態様に係るパッチアンテナにあっては、場合によっては、円形部材や矩形部材と接する放射素子及び／又は接地導体の部分を除去してもよい。
【発明の効果】
【００３７】
本発明の第１の態様に係るパッチアンテナにおいては、複数の支柱は、放射素子と同心であって直径ｒ2（但し、ｒ2＜ｒ1）の円上に配置され、本発明の第２の態様に係るパッチアンテナにおいては、複数の支柱は、放射素子と同心であって、外形形状が縦ＬＬ2、横ＬＴ2（但し、ＬＬ2＜ＬＬ1、ＬＴ2＜ＬＴ1）の矩形上に配置されており、放射素子と接地導体とは支柱によって短絡され、複数の支柱が配置された円あるいは矩形の内部に位置する放射素子の部分は略等電位となっている。また、本発明の第３の態様若しくは第４の態様に係るパッチアンテナにおいては、接地導体と放射素子との間に、導電材料から成る円形部材あるいは矩形部材が配され、放射素子と接地導体とは円形部材あるいは矩形部材によって短絡され、円形部材あるいは矩形部材と接する放射素子の部分は等電位となっている。従って、接地導体と放射素子とによって挟まれた空間における等価的な誘電率εrを１未満（パッチアンテナの設計に依存するが例えば０．６７）とすることができるが故に、誘電体部が空気層から構成されたパッチアンテナの実用的な利得（例えば、８ｄＢｉ）よりも高い利得を得ることができる。即ち、本発明のパッチアンテナにあっては、パッチアンテナの大きさを最小限にとどめつつ、等価的な誘電率εrを１未満にすることで、容易に利得の向上を図ることができる。
【００３８】
しかも、本発明の第１の態様あるいは第２の態様に係るパッチアンテナにおいては、導電材料から成る複数の支柱を使用するので、パッチアンテナを極めて容易に作製することができる。また、本発明の第３の態様あるいは第４の態様に係るパッチアンテナにおいては、導電材料から成る円形部材あるいは矩形部材を使用するので、パッチアンテナを極めて容易に作製することができるし、組立を一層容易に行うことができる。
【発明を実施するための最良の形態】
【００３９】
以下、図面を参照して、実施例に基づき本発明を説明する。
【実施例１】
【００４０】
実施例１は、本発明の第１の態様に係るパッチアンテナに関する。実施例１のパッチアンテナの模式的な平面図を図１の（Ａ）に示し、図１の（Ａ）の矢印Ｂからパッチアンテナを眺めた模式的な側面図を図１の（Ｂ）に示し、図１の（Ａ）の矢印Ｃからパッチアンテナを眺めた模式的な側面図を図１の（Ｃ）に示す。また、実施例１のパッチアンテナを分解した模式図を図２に示す。
【００４１】
実施例１のパッチアンテナは、円形のパッチアンテナであり、
（Ａ）外形形状が直径ｒ1（具体的には、ｒ1＝８３ｍｍ）の円形の放射素子１３、
（Ｂ）放射素子１３の射影像がその射影像に含まれる接地導体１１（具体的には、外形形状が直径ｒ3［より具体的には、ｒ3＝１８０ｍｍ］の円形の接地導体１１）、
（Ｃ）空気層を介して対面して配置された接地導体１１と放射素子１３との間に配され、接地導体１１及び放射素子１３と接する、導電材料から成る複数（実施例１においては１２本）の支柱２２、並びに、
（Ｄ）放射素子１３に設けられた給電部１４、
から成る。
【００４２】
ここで、接地導体１１及び放射素子１３は、厚さ０．５ｍｍの銅板を金属加工することによって作製されている。また、黄銅から成る中空のパイプ（スペーサ）である支柱２２は、金属製ビス２１と金属製ナット２３との組合せによって接地導体１１と放射素子１３との間に固定されている。尚、支柱２２の外径は３．０ｍｍであり、長さは１．５ｍｍである。
【００４３】
パッチアンテナの組立にあっては、放射素子１３に設けられた貫通孔１８にビス２１を通し、放射素子１３の裏面から突出したビス２１のネジ部に支柱２２を被せ、支柱２２から突出したビス２１のネジ部を接地導体１１に設けられた貫通孔１７に通し、接地導体１１の裏面から突出したビス２１のネジ部にナット２３を螺合させる。こうして、接地導体１１と放射素子１３とは、支柱２２によって短絡させられる。放射素子１３と対面する接地導体１１の内面と、接地導体１１と対面する放射素子１３の内面との間の距離は、１．５ｍｍである。
【００４４】
また、放射素子１３に設けられた給電部１４は、高周波コネクタ１６の中心導体から成る。放射素子１３に給電部１４が設けられているが、具体的には、高周波コネクタ１６の中心導体が放射素子１３に半田付けされている。高周波コネクタ１６の中心導体を囲むシェル１５（高周波コネクタ１６の外部導体）は、例えば半田付けによって接地導体１１に固定されている。尚、給電部１４を構成する高周波コネクタ１６の中心導体と接地導体１１とは接していない。具体的には、給電部１４を構成する高周波コネクタ１６の中心導体は、接地導体１１に設けられた直径約４ｍｍの貫通孔１９の中心部を通っている。高周波コネクタ１６は、図示しない通信機器に電気的に接続され、例えば、高周波信号が給電される。
【００４５】
実施例１にあっては、複数の支柱２２は、接地導体１１及び放射素子１３と同心であって直径ｒ2（但し、ｒ2＜ｒ1であり、具体的には、α＝ｒ2／ｒ1＝０．３３７）の円上に配置され、複数の支柱２２が配置された円の内部に位置する放射素子の部分１３Ａは略等電位となっている。
【００４６】
実施例１におけるパッチアンテナにあっては、パッチアンテナが主に放射あるいは吸収する電磁波の波長λは１２２ｍｍ（周波数：２．４５Ｈｚ）である。そして、隣接する支柱２２の間の距離Ｄ（具体的には、隣接するビス２１の中心間の距離）とλの関係は、Ｄ／λ≒０．０６である。
【００４７】
以上の構成によって、接地導体１１と放射素子１３とによって挟まれた空間における等価的な誘電率εrが１未満（パッチアンテナの設計に依存するが、実施例１においては０．６７）となり、理論的には最大利得１０．６ｄＢｉを得ることができる。尚、αの値を小さくすると等価的な誘電率εrは大きくなり、α＝０（図１１の（Ｃ）に示したパッチアンテナを参照）では比誘電率＝１となる。逆に、αの値を大きくすると等価的な誘電率εrは一層小さくなり、α＝０．５では等価的な誘電率εrは０．４となるが、サイドローブも大きくなるために、最大利得は低下する。実施例１のパッチアンテナにおいては、実測値として最大利得９．１５ｄＢｉを得ることができた。また、接地導体１１及び放射素子１３の中心を通る法線をＺ軸、接地導体１１及び放射素子１３の中心と給電部１４とを結ぶ軸をＸ軸としたとき、ＹＺ平面における利得が最大利得から３ｄＢｉ低下するＺ軸からの角度は５０度であった。
【００４８】
以上に説明した実施例１のパッチアンテナにおいて、支柱２２の数を６本から１６本まで変化させたパッチアンテナの最大利得を値をシミュレーションによって求めた結果を図３の（Ａ）に示す。また、Ｄ／λの値を０．０４から０．１１まで変化させたパッチアンテナの最大利得を値をシミュレーションによって求めた結果を図３の（Ｂ）に示す。尚、シミュレーションにおいて使用したパッチアンテナのその他のパラメータは、以上に説明した実施例１のパッチアンテナと同じである。
【００４９】
図３の（Ａ）に示す結果から、支柱２２の数が増加するに従い、最大利得の値は増加する。そして、支柱２２の数は８本以上、好ましくは１２本以上とすることが望ましい。支柱２２の数の上限は、特に限定されないが、支柱２２の数が多くなる程、パッチアンテナの組立が煩雑になるので、実用的には、１６本以下とすることが望ましい。また、図３の（Ｂ）に示す結果から、パッチアンテナが主に放射あるいは吸収する電磁波の波長をλ、隣接する支柱２２の間の距離をＤとしたとき、Ｄ／λの値が増加するに従い、最大利得は減少する。そして、Ｄ／λの値は、０．１１以下、好ましくは０．０８を満足することが望ましい。Ｄ／λの値の下限は、特に限定されないが、Ｄ／λの値が小さいということは、支柱２２の数を多くすることになるので、パッチアンテナの組立が煩雑になる。従って、実用的には、Ｄ／λの値の下限を０．０４とすることが望ましい。
【実施例２】
【００５０】
実施例２は、本発明の第２の態様に係るパッチアンテナに関する。実施例２のパッチアンテナの模式的な平面図を図４の（Ａ）に示し、図４の（Ａ）の矢印Ｂからパッチアンテナを眺めた模式的な側面図を図４の（Ｂ）に示し、図４の（Ａ）の矢印Ｃからパッチアンテナを眺めた模式的な側面図を図４の（Ｃ）に示す。
【００５１】
実施例２のパッチアンテナは、矩形のパッチアンテナであり、
（Ａ）外形形状が縦ＬＬ1、横ＬＴ1（具体的には、ＬＬ1＝ＬＴ1＝７２ｍｍ）の矩形の放射素子３３、
（Ｂ）放射素子３３の射影像がその射影像に含まれる接地導体３１（具体的には、外形形状が縦ＬＬ3、横ＬＴ3［より具体的には、ＬＬ3＝ＬＴ3＝１８０ｍｍ］の矩形の接地導体３１）、
（Ｃ）空気層を介して対面して配置された接地導体３１と放射素子３３との間に配され、接地導体３１及び放射素子３３と接する、導電材料から成る複数（実施例２においては１２本）の支柱４２、並びに、
（Ｄ）放射素子３３に設けられた給電部３４、
から成る。
【００５２】
ここで、接地導体３１及び放射素子３３は、実施例１の接地導体１１及び放射素子１３と同じ材料から金属加工によって作製されている。また、支柱４２も、実施例１の支柱２２と同じ材料から作製され、同じ寸法を有し、金属製ビス４１及び金属製ナット４３の組合せによって接地導体３１と放射素子３３との間に固定されている。支柱４２の接地導体３１、放射素子３３への取付方法も、実施例１にて説明した取付方法と同じとすることができる。また、放射素子３３に設けられた給電部３４の構成、構造も、実施例１における給電部１４の構成、構造と同じとすることができる。尚、参照番号３５及び参照番号３６でそれぞれ示されるシェル及び高周波コネクタも、実施例１におけるシェル１５及び高周波コネクタ１６と同様とすることができる。
【００５３】
実施例２にあっては、複数の支柱４２は、接地導体３１及び放射素子３３と同心であって、外形形状が縦ＬＬ2、横ＬＴ2（但し、ＬＬ2＜ＬＬ1、ＬＴ2＜ＬＴ1であり、具体的には、β＝ＬＬ2／ＬＬ1＝ＬＴ2／ＬＴ1＝０．３３７）の矩形上に配置され、複数の支柱４２が配置された矩形の内部に位置する放射素子３３の部分３３Ａは略等電位となっている。
【００５４】
実施例２におけるパッチアンテナにあっては、パッチアンテナが主に放射あるいは吸収する電磁波の波長λは１２２ｍｍ（周波数：２．４５Ｈｚ）である。そして、隣接する支柱の間の距離ｄ（具体的には、隣接するビス４１の中心間の距離）とλの関係は、ｄ／λ≒０．０５である。
【００５５】
以上の構成によって、接地導体３１と放射素子３３とによって挟まれた空間における等価的な誘電率εrが１未満（パッチアンテナの設計に依存するが、実施例２においても０．６７）となり、理論的には最大利得１０．６ｄＢｉを得ることができる。尚、βの値を小さくすると等価的な誘電率εrは大きくなり、β＝０（図１１の（Ｃ）に示したパッチアンテナを参照）では比誘電率＝１となる。逆に、βの値を大きくすると等価的な誘電率εrは一層小さくなり、β＝０．５では等価的な誘電率εrは０．４となるが、サイドローブも大きくなるために、最大利得は低下する。実施例２のパッチアンテナにおいては、実測値として最大利得１０．１ｄＢｉを得ることができた。また、接地導体３１及び放射素子３３の中心を通る法線をＺ軸、接地導体３１及び放射素子３３の中心と給電部３４とを結ぶ軸をＸ軸としたとき、ＹＺ平面における利得が最大利得から３ｄＢｉ低下するＺ軸からの角度は５７．５度であった。
【００５６】
以上に説明した実施例２のパッチアンテナにおいて、支柱４２の数を４本から１６本まで変化させたパッチアンテナの最大利得を値をシミュレーションによって求めた結果を図５の（Ａ）に示す。また、ｄ／λの値を０．０５から０．２まで変化させたパッチアンテナの最大利得を値をシミュレーションによって求めた結果を図５の（Ｂ）に示す。尚、シミュレーションにおいて使用したパッチアンテナのその他のパラメータは、以上に説明した実施例２のパッチアンテナと同じである。
【００５７】
図５の（Ａ）に示す結果から、支柱４２の数が増加するに従い、最大利得の値は増加する。そして、支柱４２の数は８本以上、好ましくは１２本以上とすることが望ましい。支柱４２の数の上限は、特に限定されないが、支柱４２の数が多くなる程、パッチアンテナの組立が煩雑になるので、実用的には、１６本以下とすることが望ましい。また、図５の（Ｂ）に示す結果から、パッチアンテナが主に放射あるいは吸収する電磁波の波長をλ、隣接する支柱４２の間の距離をｄとしたとき、ｄ／λの値が増加するに従い、最大利得は減少する。そして、ｄ／λの値は、０．１１以下、好ましくは０．０８を満足することが望ましい。ｄ／λの値の下限は、特に限定されないが、ｄ／λの値が小さいということは、支柱４２の数を多くすることになるので、パッチアンテナの組立が煩雑になる。従って、実用的には、ｄ／λの値の下限を０．０４とすることが望ましい。
【００５８】
尚、実施例２のパッチアンテナにおいては、給電部３４が近傍に位置する、図４に示す放射素子３３の横方向の辺の長さＬＴ1の値を大きくすることによりＥφ成分（Ｈ面）の指向性を鋭くすることができる。但し、この場合、接地導体３１の横方向の長さＬＴ3と放射素子３３の横方向の長さＬＴ1の割合（ＬＴ1／ＬＴ3）は同じ値を保持する必要がある。これによって、Ｅφ成分（Ｈ面）の指向性のサイドローブの影響が利得を低下させる程には大きくならず、その結果、放射素子３３の横方向の長さＬＴ1の値を大きくするに従い、利得値を増加させることができる。但し、放射素子３３の横方向の長さＬＴ1の値が大きくなるに従い、インピーダンスが５０Ωより低くなるので、インピーダンスを５０Ωに保持するためには、給電部３４の位置を外側に移動させる必要がある。放射素子３３の横方向の長さＬＴ1の値が大きくなるに従い、図４に示す放射素子３３の縦方向の長さＬＬ1の値も大きくしなければならない。尚、ＬＴ1の値がＬＬ1の値の２倍程度の長さになると最大利得は１２ｄＢｉ程度になる。
【実施例３】
【００５９】
実施例３は、本発明の第３の態様に係るパッチアンテナに関する。実施例３のパッチアンテナの模式的な平面図を図６の（Ａ）に示し、図６の（Ａ）の矢印Ｂからパッチアンテナを眺めた模式的な側面図を図６の（Ｂ）に示し、図６の（Ａ）の矢印Ｃからパッチアンテナを眺めた模式的な側面図を図６の（Ｃ）に示す。また、実施例３のパッチアンテナを分解した模式図を図７に示す。
【００６０】
実施例３のパッチアンテナは、円形のパッチアンテナであり、
（Ａ）外形形状が直径ｒ4（具体的には、ｒ4＝８３ｍｍ）の円形の放射素子１３、
（Ｂ）放射素子１３の射影像がその射影像に含まれる接地導体１１（具体的には、外形形状が直径ｒ3［より具体的には、ｒ3＝１８０ｍｍ］の円形の接地導体１１）、
（Ｃ）空気層を介して対面して配置された接地導体１１と放射素子１３との間に配され、且つ、放射素子１３と同心に配され、接地導体１１及び放射素子１３と接し、導電材料から成り、外径ｒ5（但し、ｒ5＜ｒ4であり、α’＝ｒ5／ｒ4＝０．３３７）を有する円形部材５０、並びに、
（Ｄ）放射素子１３に設けられた給電部１４、
から成る。
【００６１】
ここで、接地導体１１及び放射素子１３は、厚さ０．５ｍｍの銅板を金属加工することによって作製されている。また、円形部材５０は、厚さ１．５ｍｍの銅板を金属加工することによって作製されている。円形部材５０には貫通孔５１が設けられ、金属製ビス２１と金属製ナット２３との組合せによって接地導体１１と放射素子１３との間に円形部材５０は固定されている。尚、場合によっては、切削加工等を行うことでムクの金属材料から接地導体１１と放射素子１３と円形部材５０とが一体となったパッチアンテナを作製することもできる。
【００６２】
パッチアンテナの組立にあっては、放射素子１３に設けられた貫通孔１８及び円形部材５０に設けられた貫通孔５１にビス２１を通し、円形部材５０の裏面から突出したビス２１のネジ部を接地導体１１に設けられた貫通孔１７に通し、接地導体１１の裏面から突出したビス２１のネジ部にナット２３を螺合させる。こうして、接地導体１１と放射素子１３とは、円形部材５０によって短絡させられ、円形部材５０と接する放射素子の部分１３Ａは等電位となっている。放射素子１３と対面する接地導体１１の内面と、接地導体１１と対面する放射素子１３の内面との間の距離は、１．５ｍｍである。
【００６３】
また、放射素子１３に設けられた給電部１４の構成、構造は、実施例１における給電部１４の構成、構造と同じとすることができる。
【００６４】
実施例３におけるパッチアンテナにあっても、パッチアンテナが主に放射あるいは吸収する電磁波の波長λは１２２ｍｍ（周波数：２．４５Ｈｚ）である。
【００６５】
以上の構成によって、接地導体１１と放射素子１３とによって挟まれた空間における等価的な誘電率εrが１未満（パッチアンテナの設計に依存するが、実施例３においては０．６７）となり、理論的には最大利得１０．６ｄＢｉを得ることができる。尚、α’の値を小さくすると等価的な誘電率εrは大きくなり、α’＝０（図１１の（Ｃ）に示したパッチアンテナを参照）では比誘電率＝１となる。逆に、α’の値を大きくすると等価的な誘電率εrは一層小さくなり、α’＝０．５では等価的な誘電率εrは０．４となるが、サイドローブも大きくなるために、最大利得は低下する。
【００６６】
尚、パッチアンテナを分解した模式図を図８に示すように、外径ｒ5の円形部材５０に、内径ｒ6の円形の刳り抜き部５２を設け、リング状としてもよい。
【実施例４】
【００６７】
実施例４は、本発明の第４の態様に係るパッチアンテナに関する。実施例４のパッチアンテナの模式的な平面図を図９の（Ａ）に示し、図９の（Ａ）の矢印Ｂからパッチアンテナを眺めた模式的な側面図を図９の（Ｂ）に示し、図９の（Ａ）の矢印Ｃからパッチアンテナを眺めた模式的な側面図を図９の（Ｃ）に示す。また、実施例４のパッチアンテナにおける矩形部材の模式的な平面図を図１０の（Ａ）に示す。
【００６８】
実施例４のパッチアンテナは、矩形のパッチアンテナであり、
（Ａ）外形形状が縦ＬＬ4、横ＬＴ4（具体的には、ＬＬ4＝ＬＴ4＝７２ｍｍ）の矩形の放射素子３３、
（Ｂ）放射素子３３の射影像がその射影像に含まれる接地導体３１（具体的には、外形形状が縦ＬＬ3］、横ＬＴ3［より具体的には、ＬＬ3＝ＬＴ3＝１８０ｍｍ］の矩形の接地導体３１）、
（Ｃ）空気層を介して対面して配置された接地導体３１と放射素子３３との間に配され、且つ、放射素子３３と同心に配され、接地導体３１及び放射素子３３と接し、導電材料から成り、外形形状が縦ＬＬ5、横ＬＴ5の矩形部材６０、並びに、
（Ｄ）放射素子３３に設けられた給電部３４、
から成る。
【００６９】
ここで、接地導体３１及び放射素子３３は、実施例１の接地導体１１及び放射素子１３と同じ材料から金属加工によって作製されている。また、矩形部材６０は、実施例３の円形部材５０と同じ材料から作製されている。矩形部材６０の接地導体３１、放射素子３３への取付方法は、実施例３にて説明した取付方法と同じとすることができる。また、放射素子３３に設けられた給電部３４の構成、構造は、実施例２における給電部３４の構成、構造と同じとすることができる。尚、参照番号６１は、矩形部材６０に設けられた貫通孔である。尚、場合によっては、切削加工等を行うことでムクの金属材料から接地導体３１と放射素子３３と矩形部材６０とが一体となったパッチアンテナを作製することもできる。
【００７０】
実施例４にあっては、矩形部材６０の外形形状は、縦ＬＬ5、横ＬＴ5（但し、ＬＬ5＜ＬＬ4、ＬＴ5＜ＬＴ4であり、具体的には、β’＝ＬＬ5／ＬＬ4＝ＬＴ5／ＬＴ4＝０．３３７）の矩形であり、矩形部材６０と接する放射素子３３の部分３３Ａは等電位となっている。
【００７１】
実施例４におけるパッチアンテナにあっても、パッチアンテナが主に放射あるいは吸収する電磁波の波長λは１２２ｍｍ（周波数：２．４５Ｈｚ）である。
【００７２】
以上の構成によって、接地導体３１と放射素子３３とによって挟まれた空間における等価的な誘電率εrが１未満（パッチアンテナの設計に依存するが、実施例４においても０．６７）となり、理論的には最大利得１０．６ｄＢｉを得ることができる。尚、β’の値を小さくすると等価的な誘電率εrは大きくなり、β’＝０（図１１の（Ｃ）に示したパッチアンテナを参照）では比誘電率＝１となる。逆に、β’の値を大きくすると等価的な誘電率εrは一層小さくなり、β’＝０．５では等価的な誘電率εrは０．４となるが、サイドローブも大きくなるために、最大利得は低下する。
【００７３】
尚、パッチアンテナにおける矩形部材の模式的な平面図を図１０の（Ｂ）に示すように、外形形状が縦ＬＬ5、横ＬＴ5の矩形部材６０に、縦ＬＬ6、横ＬＴ6の矩形形状の刳り抜き部６２を設け、環状としてもよい。
【００７４】
以上、本発明を好ましい実施例に基づき説明したが、本発明はこれらに限定されるものではない。実施例にて説明したパッチアンテナの形状、寸法、構造、構成、構成材料、設計パラメータ等は例示であり、適宜変更することができる。給電部は１箇所に限定されず、２箇所以上とすることもできる。実施例１や実施例３におけるパッチアンテナにあっては、放射素子の外形形状を円形とし、あるいは又、円形部材を使用したが、放射素子の外形形状や円形部材をｎの数が十分に大きな正ｎ角形や楕円形に置き換えることもできるし、複数の支柱が配置された円をｎの数が十分に大きな正ｎ角形や楕円形に置き換えることもできる。また、実施例２や実施例４におけるパッチアンテナにあっては、放射素子の外形形状を矩形とし、あるいは又、矩形部材を使用したが、放射素子の外形形状や矩形部材を正多角形に置き換えることもできるし、複数の支柱が配置された矩形を正多角形に置き換えることもできる。
【図面の簡単な説明】
【００７５】
【図１】図１の（Ａ）は、実施例１のパッチアンテナの模式的な平面図であり、図１の（Ｂ）は、図１の（Ａ）の矢印Ｂから実施例１のパッチアンテナを眺めた模式的な側面図であり、図１の（Ｃ）は、図１の（Ａ）の矢印Ｃから実施例１のパッチアンテナを眺めた模式的な側面図である。
【図２】図２は、実施例１のパッチアンテナを分解した模式図である。
【図３】図３の（Ａ）は、実施例１のパッチアンテナにおいて、支柱の数（Ｎ）を変化させたパッチアンテナの最大利得を値をシミュレーションによって求めた結果を示すグラフであり、図３の（Ｂ）は、実施例１のパッチアンテナにおいて、Ｄ／λの値を変化させたパッチアンテナの最大利得を値をシミュレーションによって求めた結果を示すグラフである。
【図４】図４の（Ａ）は、実施例２のパッチアンテナの模式的な平面図であり、図４の（Ｂ）は、図４の（Ａ）の矢印Ｂから実施例２のパッチアンテナを眺めた模式的な側面図であり、図４の（Ｃ）は、図４の（Ａ）の矢印Ｃから実施例２のパッチアンテナを眺めた模式的な側面図である。
【図５】図５の（Ａ）は、実施例２のパッチアンテナにおいて、支柱の数（Ｎ）を変化させたパッチアンテナの最大利得を値をシミュレーションによって求めた結果を示すグラフであり、  図５の（Ｂ）は、実施例２のパッチアンテナにおいて、ｄ／λの値を変化させたパッチアンテナの最大利得を値をシミュレーションによって求めた結果を示すグラフである。
【図６】図６の（Ａ）は、実施例３のパッチアンテナの模式的な平面図であり、図６の（Ｂ）は、図６の（Ａ）の矢印Ｂから実施例３のパッチアンテナを眺めた模式的な側面図であり、図６の（Ｃ）は、図６の（Ａ）の矢印Ｃから実施例３のパッチアンテナを眺めた模式的な側面図である。
【図７】図７は、実施例３のパッチアンテナを分解した模式図である。
【図８】図８は、実施例３のパッチアンテナの変形例を分解した模式図である。
【図９】図９の（Ａ）は、実施例４のパッチアンテナの模式的な平面図であり、図９の（Ｂ）は、図９の（Ａ）の矢印Ｂから実施例４のパッチアンテナを眺めた模式的な側面図であり、図９の（Ｃ）は、図９の（Ａ）の矢印Ｃから実施例４のパッチアンテナを眺めた模式的な側面図である。
【図１０】図１０の（Ａ）及び（Ｂ）は、実施例４のパッチアンテナ及びその変形例における矩形部材の模式的な平面図である。
【図１１】図１１の（Ａ）及び（Ｂ）のそれぞれに、従来の矩形のパッチアンテナの模式的な平面図及び一部を断面で示す模式図であり、図１１の（Ｃ）は、別の形式の従来のパッチアンテナの一部を断面で示す模式図である。
【図１２】図１２の（Ａ）及び（Ｂ）は、それぞれ、穴付き方形パッチアンテナの模式的な斜視図及び模式的な断面図である。
【符号の説明】
【００７６】
１１，３１・・・接地導体、１３，３２・・・放射素子、１３Ａ，３３Ａ・・・複数の支柱が配置された円の内部に位置する放射素子の部分、１４，３４・・・給電部、１５，３５・・・シェル、１６，３６・・・高周波コネクタ、１７，１８，１９・・・貫通孔、２１，４１・・・ビス、２２，４２・・・支柱、２３，４３・・・ナット、５０・・・円形部材、６０・・・矩形部材、５１，６１・・・貫通孔、５２，６２・・・刳り抜き部
【図１】
2005223597.tif 000003
【図２】
2005223597.tif 000004
【図３】
2005223597.tif 000005
【図４】
2005223597.tif 000006
【図５】
2005223597.tif 000007
【図６】
2005223597.tif 000008
【図７】
2005223597.tif 000009
【図８】
2005223597.tif 000010
【図９】
2005223597.tif 000011
【図１０】
2005223597.tif 000012
【図１１】
2005223597.tif 000013
【図１２】
2005223597.tif 000014